(57)【要約】【課題】  下段屋根瓦上に、上段屋根瓦を重ねて取付ける際に、上段屋根瓦を固定するための別部品が不要であって、施工性が良好となる屋根瓦の取付構造を提供する。【解決手段】  下段屋根瓦１Ａが、その下段屋根瓦１Ａの棟側端部２の表面側に、それにより棟側に向けて開口する凹所６が形成される引掛片５であって、上段屋根瓦１Ｂの軒側端部先端４を係合する引掛片５を、一体に形成しているものであり、下段屋根瓦１Ａの棟側端部２上に上段屋根瓦１Ｂの軒側端部３を重ねて取付けた際に、上段屋根瓦１Ｂの軒側端部先端４を、前記凹所６に収容した状態で、前記引掛片５に係合していることを特徴とする屋根瓦の取付構造。【選択図】図１
2005180072.tif 000002
【特許請求の範囲】
【請求項１】
下段に配置する下段屋根瓦の棟側端部上に、上段に配置する上段屋根瓦の軒側端部を重ねてなる屋根瓦の取付構造において、下段屋根瓦が、その下段屋根瓦の棟側端部の表面側に、それにより棟側に向けて開口する凹所が形成される引掛片であって、上段屋根瓦の軒側端部先端を係合する引掛片を、一体に形成しているものであり、
下段屋根瓦の棟側端部上に上段屋根瓦の軒側端部を重ねて取付けた際に、上段屋根瓦の軒側端部先端を、前記凹所に収容した状態で、前記引掛片に係合していることを特徴とする屋根瓦の取付構造。
【請求項２】
前記凹所を、上段屋根瓦の軒側端部先端と嵌合するように形成していて、下段屋根瓦の棟側端部上に上段屋根瓦の軒側端部を重ねて取付けた際に、上段屋根瓦の軒側端部先端を、前記凹所に嵌合した状態で、前記引掛片に係合していることを特徴とする請求項１記載の屋根瓦の取付構造。
【請求項３】
上段屋根瓦の軒側端部に、下段屋根瓦の引掛片に対応する切込みを形成し、下段屋根瓦の棟側端部上に上段屋根瓦の軒側端部を重ねて取付けた際に、上段屋根瓦の軒側端部の表面と、下段屋根瓦の棟側端部の表面とを略面一にしていることを特徴とする請求項１又は請求項２記載の屋根瓦の取付構造。
【発明の詳細な説明】
【技術分野】
【０００１】
本発明は、屋根瓦の取付構造に関する。詳しくは、下段に配置する下段屋根瓦の棟側端部上に、上段に配置する上段屋根瓦の軒側端部を重ねてなる屋根瓦の取付構造に関するものである。
【背景技術】
【０００２】
従来、屋根瓦を使用して屋根を葺く場合、図５に示すように、下段に配置する下段屋根瓦１Ａの棟側端部２に、コ字状折曲部２２を有する固定金具２１を取付け（図５（ａ））、下段屋根瓦１Ａと固定金具２１とを共に野地（図示せず）にビス止め（又は釘止め）し（図５（ｂ））、次いで上段に配置する上段屋根瓦１Ｂの軒側端部３をコ字状折曲部２２に嵌入することにより、下段屋根瓦１Ａの棟側端部２上に、上段屋根瓦１Ｂの軒側端部３を重ねて施工していた（図５（ｃ））。
【０００３】
しかしながら、この場合には、固定金具２１を下段屋根瓦１Ａに取付けた後でビス止めする必要があり、施工に手間がかかると共に固定金具２１という別部品が必要であるという問題があった。さらには、固定金具２１の厚み分だけ、下段屋根瓦１Ａと上段屋根瓦１Ｂとの間に隙間が生じて防水性が劣るという問題点もあった。
【特許文献１】実開平５−３４３１号公報（図４）
【発明の開示】
【発明が解決しようとする課題】
【０００４】
本発明は、上記背景技術に鑑みて発明されたものであり、その課題は、下段に配置する下段屋根瓦の棟側端部上に、上段に配置する上段屋根瓦の軒側端部を重ねてなる屋根瓦の屋根瓦の取付構造であって、下段屋根瓦の棟側端部上に、上段屋根瓦の軒側端部を重ねて取付ける際に、上段屋根瓦を固定するための別部品が不要であって、施工性が良好となる屋根瓦の取付構造を提供することである。
【課題を解決するための手段】
【０００５】
上記課題を解決するために、請求項１に係る発明は、下段に配置する下段屋根瓦の棟側端部上に、上段に配置する上段屋根瓦の軒側端部を重ねてなる屋根瓦の取付構造において、下段屋根瓦が、その下段屋根瓦の棟側端部の表面側に、それにより棟側に向けて開口する凹所が形成される引掛片であって、上段屋根瓦の軒側端部先端を係合する引掛片を、一体に形成しているものであり、下段屋根瓦の棟側端部上に上段屋根瓦の軒側端部を重ねて取付けた際に、上段屋根瓦の軒側端部先端を、前記凹所に収容した状態で、前記引掛片に係合していることを特徴としている。このようにすることによって、上段屋根瓦を固定するための別部品が不要であって、施工性が良好な屋根瓦の取付構造となる。
【０００６】
また、請求項２に係る発明は、請求項１記載の屋根瓦の取付構造において、前記凹所を、上段屋根瓦の軒側端部先端と嵌合するように形成していて、下段屋根瓦の棟側端部上に上段屋根瓦の軒側端部を重ねて取付けた際に、上段屋根瓦の軒側端部先端を、前記凹所に嵌合した状態で、前記引掛片に係合していることを特徴としている。このようにすることによって、下段屋根瓦の凹所と上段屋根瓦の軒側端部先端との間の隙間がなくなり、防水性が向上する。
【０００７】
請求項３に係る発明は、請求項１又は請求項２記載の屋根瓦の取付構造において、上段屋根瓦の軒側端部に、下段屋根瓦の引掛片に対応する切込みを形成し、下段屋根瓦の棟側端部上に上段屋根瓦の軒側端部を重ねて取付けた際に、上段屋根瓦の軒側端部の表面と、下段屋根瓦の棟側端部の表面とを略面一にしていることを特徴とする。このようにすることによって、施工後の屋根面の見栄えが向上する。
【発明の効果】
【０００８】
本発明の屋根瓦の取付構造においては、下段屋根瓦が、その下段屋根瓦の棟側端部の表面側に、それにより棟側に向けて開口する凹所が形成される引掛片であって、上段屋根瓦の軒側端部先端を係合する引掛片を、一体に形成しているものであり、下段屋根瓦の棟側端部上に上段屋根瓦の軒側端部を重ねて取付けた際に、上段屋根瓦の軒側端部先端を、前記凹所に収容した状態で、前記引掛片に係合しているため、下段屋根瓦の棟側端部上に、上段屋根瓦の軒側端部を重ねて取付ける際に、上段屋根瓦を固定するための別部品が不要であって、施工性が良好となる屋根瓦の取付構造となる。
【発明を実施するための最良の形態】
【０００９】
以下、本発明の好ましい実施の形態について説明する。
【００１０】
図１は、請求項１及び請求項２の発明に対応した第１実施形態を示している。この第１実施形態の屋根瓦の取付構造における下段屋根瓦１Ａと上段屋根瓦１Ｂとは、図１（ａ）に示す如く、同一形状をしている。また、下段屋根瓦１Ａは、その下段屋根瓦１Ａの棟側端部２の表面側に、それにより棟側に向けて開口する凹所６が形成される引掛片５であって、上段屋根瓦１Ｂの軒側端部先端４を係合する引掛片５を、一体に形成している。そして、この凹所６は、上段屋根瓦１Ｂの軒側端部先端４を収容すると共に、上段屋根瓦１Ｂの軒側端部先端４と嵌合するように形成している。さらに、下段屋根瓦１Ａの棟側端部先端８は、ビス７によって野地（図示せず）に固定できるようにしている。なお、下段屋根瓦１Ａの棟側端部２には、引掛片５と軒側端部先端８との間に、上向きに止水片９を立設させている。そして、引掛片５及び凹所６は、下段屋根瓦１Ａの全幅にわたって形成してもよいし、間隔をおいて複数個所に設けるようにしてもよい。
【００１１】
下段屋根瓦１Ａ及び上段屋根瓦１Ｂの材質については特に制限はなく、樹脂瓦、陶器瓦、セメント板瓦、金属板瓦等とすることができるが、樹脂瓦を用いると、成形によって引掛片５を容易に一体に形成することができるので好ましい。
【００１２】
次に、第１実施形態における、下段屋根瓦１Ａ及び上段屋根瓦１Ｂの施工について説明する。図１（ａ）に示す如く、下段屋根瓦１Ａの棟側端部先端８を、ビス７によって野地（図示せず）に固定する。次に、図１（ｂ）に示す如く、下段屋根瓦１Ａに引掛片５によって形成している凹所６に、上段屋根瓦１Ｂの軒側端部先端４を収容すると共に、凹所６と上段屋根瓦１Ｂの軒側端部先端４とを嵌合する。このようにして、下段屋根瓦１Ａの引掛片５に上段屋根瓦１Ｂの軒側端部先端４を係合して、上段屋根瓦１Ｂの軒側端部３を、下段屋根瓦１Ａの棟側端部２上に固定する。
【００１３】
このように、図１に示す第１実施形態の屋根瓦の取付構造によれば、上段屋根瓦１Ｂの軒側端部先端４を、下段屋根瓦１Ａの凹所６に収容した状態で、下段屋根瓦１Ａの引掛片５に係合しているため、下段屋根瓦１Ａの棟側端部２上に、上段屋根瓦１Ｂの軒側端部３を重ねて取付ける際に、上段屋根瓦１Ｂを固定するための別部品が不要であって、施工性が良好となる屋根瓦の取付構造となる。さらに、この第１実施形態では、上段屋根瓦１Ｂの軒側端部先端４を、下段屋根瓦１Ａの凹所６に嵌合した状態で、下段屋根瓦１Ａの引掛片５に係合しているので、下段屋根瓦１Ａの凹所６と上段屋根瓦１Ｂの軒側端部先端４との間の隙間がなくなり、従来の固定金具２１の厚み分だけ、下段屋根瓦１Ａと上段屋根瓦１Ｂとの間に隙間が生じる場合に比べて、防水性が向上するという利点もある。
【００１４】
次に，この第１実施形態で用いる下段屋根瓦１Ａが樹脂瓦の場合における、製造方法の一例について説明する。図２は、下段屋根瓦１Ａを製造する工程を説明する概略図であり、製造設備を単純化して表すために、下段屋根瓦１Ａに形成する引掛片５は、若干上方に突出するように製造されるようにしている。
【００１５】
図２（ａ）は、製造設備の概略を示していて、上型３１と下型３２の間に樹脂材料を挟んで成形する。また、上型３１には油圧シリンダー３３によって進退自在な凹所形成用ピン３４を備えている。
【００１６】
下段屋根瓦１Ａを製造する場合、図２（ｂ）に示すように、下型３２の上に樹脂材料３５を配置する。樹脂材料３５としては、例えばＳＭＣ（シートモールディングコンパウンド）を使用することができる。上型３１及び下型３２は予め加熱しておくことが好ましく、加熱温度は、使用する樹脂材料３５によって適宜決定すればよいが、上型温度を１４５〜１５０℃程度、下型温度を１３０〜１３５℃程度とすることが好ましい。
【００１７】
次に、上型３１を下降させて、図２（ｃ）に示すように、上型３１と下型３２とを型締めして、例えば５０ｋｇ／ｃｍ2（４．９ＭＰａ）程度の圧力で、１８０秒程度加圧成形することによって、下段屋根瓦１Ａを成形する。次に、図２（ｄ）に示すように、油圧シリンダー３３の働きで凹所形成用ピン３４を後退させることによって凹所６を形成する。次に、図２（ｅ）に示すように、上型３１を上昇させて、上型３１と下型３２とを分離する。最後に、図２（ｆ）に示すように、下型３２から下段屋根瓦１Ａを取り出す。なお、同様の工程を経て、上段屋根瓦１Ｂも製造することができる。
【００１８】
なお、図２に示す工程で製造する下段屋根瓦１Ａでは、下型３２から下段屋根瓦１Ａを分離して取り出した後に塗装を行ってもよいが、加圧成形の途中で表面コート剤を注入して塗装を行う工法〔いわゆるインモールド・コーティング工法（ＩＭＣ工法）〕を採用することができるので、容易に塗装できるという利点がある。
【００１９】
図２に示す工程で製造する下段屋根瓦１Ａでは、引掛片５及び凹所６を下段屋根瓦１Ａの全幅にわたって形成するよりも、間隔をおいて複数個所に設けるようにした方が金型の構造の点で実用性がある。そこで、図２に示す工程で製造し、引掛片５及び凹所６を、間隔をおいて複数個所に設けた下段屋根瓦１Ａの例を図３に示す。図３（ａ）は下段屋根瓦１Ａを示す断面図、図３（ｂ）は図３（ａ）のＸ−Ｘ線断面図、図３（ｃ）は下段屋根瓦１Ａの軒側端部３を示す部分平面図、図３（ｄ）は下段屋根瓦１Ａの軒側端部３を示す部分側面図である。図３に示す下段屋根瓦１Ａの例では、幅方向の凹所６と凹所６とのピッチは、例えば３０５ｍｍ程度とすることができる。そして、図３（ｃ）、図３（ｄ）に示すように、凹所６に嵌合される軒側端部先端４の形状は、凹所６の形状に対応した形状にしており、軒側端部先端４は引掛片５に係合される引掛用爪の役割を果たす。
【００２０】
次に、第２実施形態を説明する。図４は請求項１〜３の全てに対応した第２実施形態を示している。この第２実施形態の屋根瓦の取付構造は、図４（ａ）、（ｂ）、（ｃ）に示す如く、上段屋根瓦１Ｂの軒側端部３の表面側に、下段屋根瓦１Ａの引掛片５に対応する切込み１０を形成し、下段屋根瓦１Ａの棟側端部２上に上段屋根瓦の軒側端部３を重ねて取付けた際に、上段屋根瓦１Ｂの軒側端部３の表面１１Ｂと、下段屋根瓦１Ａの棟側端部２の表面１１Ａとを略面一にしている以外は、上述の第１実施形態の屋根瓦の取付構造と同様の構成としている。なお、図４（ａ）、（ｂ）ではビス７を省略していて、図４（ａ）は、下段屋根瓦１Ａの棟側端部２上に、上段屋根瓦１Ｂの軒側端部３を重ねる前の状態を示し、図４（ｂ）は、下段屋根瓦１Ａの棟側端部２上に、上段屋根瓦１Ｂの軒側端部３を重ねた後の状態を示し、図４（ｃ）は、図４（ｂ）のＡ部を拡大した断面図である。
【００２１】
この第２実施形態の屋根瓦の取付構造によれば、下段屋根瓦１Ａの棟側端部２上に上段屋根瓦１Ｂの軒側端部３を重ねて取付けた際に、上段屋根瓦１Ｂの軒側端部３の表面１１Ｂと、下段屋根瓦１Ａの棟側端部２の表面１１Ａとを略面一にしているので、第１実施形態の屋根瓦の取付構造の利点である、上段屋根瓦１Ｂを固定するための別部品が不要であって、施工性が良好であり、且つ、防水性が向上するという利点に加えて、さらに、施工後の屋根面の見栄えが向上するという利点もある。
【図面の簡単な説明】
【００２２】
【図１】本発明の屋根瓦の取付構造の第１実施形態を示していて、（ａ）は屋根瓦を重ねる前の状態を示す断面図、（ｂ）は屋根瓦を重ねた後の状態を示す断面図。
【図２】本発明の第１実施形態で用いる下段屋根瓦１Ａの製造方法を説明するための概略図。
【図３】図２に示す工程で製造した下段屋根瓦１Ａの一例を示していて、（ａ）は断面図、（ｂ）は（ａ）のＸ−Ｘ線断面図、（ｃ）は軒側端部３を示す部分平面図、（ｄ）は軒側端部３を示す部分側面図。
【図４】本発明の屋根瓦の取付構造の第２実施形態を示していて、（ａ）は屋根瓦を重ねる前の状態を示す断面図、（ｂ）は屋根瓦を重ねた後の状態を示す断面図、（ｃ）は（ｂ）のＡ部を拡大した断面図である
【図５】従来の屋根瓦の取付構造を説明する概略図であり、（ａ）〜（ｃ）は、施工状態をそれぞれ示す断面図。
【符号の説明】
【００２３】
１Ａ  下段屋根瓦
１Ｂ  上段屋根瓦
２  棟側端部
３  軒側端部
４  軒側端部先端
５  引掛片
６  凹所
７  ビス
８  棟側端部先端
９  止水片
１０  切込み
１１Ａ、１１Ｂ  表面
２１  固定金具
２２  コ字状折曲部
３１  上型
３２  下型
３３  油圧シリンダー
３４  凹所形成用ピン
【図１】
2005180072.tif 000003
【図２】
2005180072.tif 000004
【図３】
2005180072.tif 000005
【図４】
2005180072.tif 000006
【図５】
2005180072.tif 000007